(57)【特許請求の範囲】
【請求項１】
構造物の開口部を開閉する引戸に取り付けられるとともに該引戸をこの構造物に備えられたレールに沿って案内するガイド本体と、上記構造物に取り付けられ上記ガイド本体と係合することにより引戸の開閉途中位置においてガイド本体に対して制動力を付与する受け部材と、上記ガイド本体および引戸のいずれか一方に取り付けられ上記受け部材との係合によるガイド本体の制動に伴い上記ガイド本体および引戸のいずれか他方側に進出して当該他方側の部材を押圧する押圧手段とを備えることを特徴とする引戸の跳ね上げ抑制装置。
【請求項２】
上記押圧手段は、上記ガイド本体に設けられた押圧ブロックと、上記ガイド本体の制動に伴い該ガイド本体から上記押圧ブロックを進出させて上記引戸に押圧させるブロック進出機構とを備えることを特徴とする請求項１記載の引戸の跳ね上げ抑制装置。
【請求項３】
上記押圧ブロックは、幅方向に貫通して上記引戸のスライド方向に対して上下方向に傾斜する傾斜ガイド孔を備え、
上記ブロック進出機構は、上記ガイド本体に連結され上記押圧ブロックを上下動可能に保持するベース体と、このベース体に対して上記引戸のスライド方向に移動可能に連結されるとともに上記引戸に連結され、かつ上記押圧ブロックの傾斜ガイド孔に移動可能に挿通されるガイドボス部を有する補助ガイド体とを備え、上記ガイド本体の制動に伴い上記補助ガイド体がベース体に対して離反方向に移動して上記ガイドボス部が傾斜ガイド孔に沿って相対的に移動することにより上記押圧ブロックを上記引戸側に進出させるように構成されていることを特徴とする請求項２記載の引戸の跳ね上げ抑制装置。
【請求項４】
上記ガイド本体は、枠体と、この枠体内に一端がフリー状態で収容される弾性部材と、この弾性部材のフリー端部に取り付けられたスライド部材と、このスライド部材の少なくとも所定方向の移動に対して緩衝効果を付与するダンパー部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが係合することにより上記弾性部材の付勢力が解放されるとともに上記ダンパー部材の緩衝効果による制動力が付与されつつ上記付勢力がスライド部材を通じてスライドアシスト力として引戸に付与されることを特徴とする請求項１ないし請求項３のいずれか１項に記載の引戸の跳ね上げ抑制装置。
【発明の詳細な説明】
【技術分野】
【０００１】
本発明は、構造物の開口部を開閉する引戸に対して制動力を作用させた場合の引戸の跳ね上げを抑制する引戸の跳ね上げ抑制装置に関するものである。
【背景技術】
【０００２】
近年、構造物の開口部を開閉する引戸に対して、開き方向または閉じ方向のアシスト力を付与するドアクローザー（スライドアシスト装置）が多く見受けられるようになっている。このドアクローザーは、引戸に設けられた引戸側部材と、戸枠に設けられた戸枠側部材とが係脱することによって、引戸に一旦制動力を付与させたのち、引戸に対してスライドアシスト力を付与するように構成されている。
【０００３】
具体的には、このドアクローザーは、引戸の上端側に付設され引戸案内溝内に収容される本体ボディと、この本体ボディ内に一端がフリー状態で収容される引きバネと、この引きバネのフリー端部に取り付けられ上方に突設されたキャッチ体（スライド部材）と、戸枠の引戸案内溝内に下方に突出する態様で設けられたフック体（受け部材）と、このキャッチ体の移動に対して緩衝効果を付与するエアダンパーとを備え、引戸開動作に伴いキャッチ体とフック体とが係合して引きバネを所定量延伸した時点でフック体とキャッチ体との係合状態が解除されるとともに、このキャッチ体が本体ボディに停止保持され、引戸閉動作に伴いキャッチ体とフック体とが再係合してキャッチ体の停止保持状態が解除され引きバネの付勢力で引戸の閉方向のスライドをアシストするように構成されている。
【先行技術文献】
【特許文献】
【０００４】
【特許文献１】特開２００８−１５６８５１号公報
【発明の概要】
【発明が解決しようとする課題】
【０００５】
ところで、前記特許文献１記載のドアクローザーは、スライド部材の移動力を緩衝するエアダンパーが設けられているため、スライド部材と受け部材とが再係合すると、スライド部材の保持状態が解放されるものの、エアダンパーによってスライド部材が制動される。このように引戸の開閉途中位置において制動力が作用すると、引戸のスライド方向端部が跳ね上がる場合があった。すなわち、通常、引戸は戸枠に対して若干の遊びをもって組み付けられており、この遊びに基づき上記制動時にキャッチ体とフック体とが片当たりするなどして引戸のスライド方向端部が跳ね上がる場合があった。
【０００６】
ここで、引戸と戸枠との隙間にこれを埋める部材を介在させ、これにより跳ね上げを抑制することも考えられるが、隙間の広狭は種々存在し、この広狭それぞれの隙間に適合する跳ね上げ抑制部材を複数種類用意したのではコスト増に繋がる。しかも、この跳ね上げ抑制部材は見た目を良好にする観点から戸枠に取り付けられるが、例えば閉じ方向のスライドをアシストするスライドアシスト装置の場合、引戸を閉じ方向にスライドさせてスライド部材と受け部材とが係合するときに、引戸の閉じ方向端部上方に跳ね上げ抑制部材を位置させる必要があり、その位置合わせが面倒であるという問題がある。
【０００７】
本発明は、上記従来の問題点に鑑みてなされたものであり、引戸に制動力が作用した場合に、この制動力に伴う引戸の跳ね上げを簡単かつ効果的に抑制することができる引戸の跳ね上げ抑制装置を提供することを目的としている。
【課題を解決するための手段】
【０００８】
上記課題を解決するために、この発明に係る引戸の跳ね上げ抑制装置は、構造物の開口部を開閉する引戸に取り付けられるとともに該引戸をこの構造物に備えられたレールに沿って案内するガイド本体と、上記構造物に取り付けられ上記ガイド本体と係合することにより引戸の開閉途中位置においてガイド本体に対して制動力を付与する受け部材と、上記ガイド本体および引戸のいずれか一方に取り付けられ上記受け部材との係合によるガイド本体の制動に伴い上記ガイド本体および引戸のいずれか他方側に進出して当該他方側の部材を押圧する押圧手段とを備えることを特徴とするものである。
【０００９】
この発明によれば、ガイド本体と受け部材とを備えるとともに、上記ガイド本体および引戸のいずれか一方に取り付けられ上記受け部材との係合によるガイド本体の制動に伴い上記ガイド本体および引戸のいずれか他方側に進出して当該他方側の部材を押圧する押圧手段とを備えるので、ガイド本体と受け部材との係合によってガイド本体が制動されると、押圧手段がガイド本体に取り付けられる場合には引戸側に進出して当該引戸を押圧する（押圧手段が引戸に取り付けられる場合にはガイド本体側に進出して当該ガイド本体を押圧する）。この押圧手段による押圧により引戸に対して跳ね上げを抑制する方向に外力が作用し、これにより引戸の跳ね上げを簡単かつ効果的に抑制することができる。しかも、開閉時にスライド移動するガイド本体または引戸に押圧手段が設けられるとともに、この押圧手段によって同様にスライド移動する他方の部材を押圧するので、静止している部材を押圧する場合に比べて安定して押圧することができ、円滑に引戸の跳ね上げを抑制することができる。
【００１０】
上記押圧手段の具体的構成については特に限定するものではなく、ガイド部材と受け部材とが係合した場合に電動アクチュエータなどによってガイド本体側から引戸側に向けて（逆でも可）進出するものであってもよく、また弾性部材による付勢力を利用等することによって引戸（またはガイド本体）を押圧するものであってもよいが、上記押圧手段は、上記ガイド本体に設けられた押圧ブロックと、上記ガイド本体の制動に伴い該ガイド本体から上記押圧ブロックを進出させて上記引戸に押圧させるブロック進出機構とを備えるのが好ましい。
【００１１】
このように構成すれば、ガイド本体の制動を利用してブロック進出機構によって押圧ブロックを簡単に進出させることができ、引戸の跳ね上げを簡単かつ確実に抑制することができる。
【００１２】
この場合、押圧ブロック、ブロック進出機構の具体的構成は特に限定するものではないが、押圧手段について、引戸のスライド移動力の一部を押圧ブロックの進出力に変換する変換機構を有するものが好ましい。例えば、上記押圧ブロックは、幅方向に貫通して上記引戸のスライド方向に対して上下方向に傾斜する傾斜ガイド孔を備え、上記ブロック進出機構は、上記ガイド本体に連結され上記押圧ブロックを上下動可能に保持するベース体と、このベース体に対して上記引戸のスライド方向に移動可能に連結されるとともに上記引戸に連結され、かつ上記押圧ブロックの傾斜ガイド孔に移動可能に挿通されるガイドボス部を有する補助ガイド体とを備え、上記ガイド本体の制動に伴い上記補助ガイド体がベース体に対して離反方向に移動して上記ガイドボス部が傾斜ガイド孔に沿って相対的に移動することにより上記押圧ブロックを上記引戸側に進出させるように構成されているのが好ましい。
【００１３】
このように構成すれば、引戸がスライド移動する一方、ガイド本体に制動力が作用するので、ベース体と補助ガイド体とが引戸のスライド方向に沿って相対的に離反方向に移動する。この離反方向の移動に伴って補助ガイド体のガイドボス部が、ベース体によって保持された押圧ブロックの傾斜ガイド孔内を移動して、これにより押圧ブロックがベース体から引戸側に進出して該引戸を押圧する。従って、簡単な構造で、ガイド本体の制動力に応じて押圧ブロックによる押圧力を発生させることができ、しかもこの押圧力が引戸の跳ね上げ力（引戸のスライド移動力）に応じて発生するので、効果的に引戸の跳ね上げを抑制することができる。
【００１４】
また、この発明においても、上記ガイド本体の具体的構成については特に限定するものではなく、例えば開閉終期において引戸に対して制動力を付与して引戸を緩衝する引戸制動装置の構成部材であってもよいが、開閉終期において引戸のスライドアシスト力を付与するスライドアシスト装置（ドアクローザー）等であってもよい。具体的には、上記ガイド本体は、枠体と、この枠体内に一端がフリー状態で収容される弾性部材と、この弾性部材のフリー端部に取り付けられたスライド部材と、このスライド部材の少なくとも所定方向の移動に対して緩衝効果を付与するダンパー部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが係合することにより上記弾性部材の付勢力が解放されるとともに上記ダンパー部材の緩衝効果による制動力が付与されつつ上記付勢力がスライド部材を通じてスライドアシスト力として引戸に付与されるのが好ましい。
【００１５】
このように別の発明の引戸の跳ね上げ抑制装置も、ドアクローザーに好ましく適用することができる。
【発明の効果】
【００１６】
本発明に係る引戸の跳ね上げ抑制装置によれば、ガイド本体と受け部材との係合によってガイド本体が制動されると、押圧手段が一方の部材側から進出して他方の部材を押圧し、これにより引戸に対して跳ね上げを抑制する方向に外力を作用させることができ、引戸の跳ね上げを簡単かつ効果的に抑制することができる。しかも、押圧手段が設けられる部材と押圧手段が押圧する部材のいずれもがスライド移動するので、静止している部材を押圧する場合に比べて安定して押圧することができ、円滑に引戸の跳ね上げを抑制することができる。
【図面の簡単な説明】
【００１７】
【図１】本発明に係る引戸の跳ね上げ抑制装置が適用されたスライドアシスト装置を一部分解した状態で示す斜視図である。
【図２】同スライドアシスト装置の装置本体と引戸固定体の正面図である。
【図３】同スライドアシスト装置の押圧ユニットを分解して示す斜視図である。
【図４】同スライドアシスト装置の装置本体（スライド部材が初期位置にある場合）を拡大して示す斜視図である。
【図５】同スライドアシスト装置の装置本体（スライド部材が保持位置にある場合）を拡大して示す斜視図である。
【図６】引戸の開放操作時における同装置の作用を説明するための概念図であり、（Ａ）は引戸閉止状態におけるスライド部材と受け突部との関係を示し、（Ｂ）はスライド部材が所定の保持位置において回動掛合片が解除姿勢に姿勢変更した状態を示している。
【図７】引戸の閉止操作時における同装置の作用を説明するための概念図であり、（Ａ）は、一旦開放された引戸を閉止操作することにより、引掛け部材の三角ブロックの前方右縁部が受け部材の受け突部に係合した状態、（Ｂ）は、舌片が角孔から抜け出して解除姿勢から係合姿勢へ姿勢変化した状態をそれぞれ示している。
【図８】このスライドアシスト装置の押圧ユニットについて初期状態を示すための概念図である。
【図９】同押圧ユニットについて押圧状態を示すための概念図である。
【図１０】スライド部材の変形例を示す正面図である。
【発明を実施するための形態】
【００１８】
以下、本発明に係る一実施形態を図面に基づいて説明する。なお、本実施形態の引戸の跳ね上げ抑制装置は、スライドアシスト装置に適用する場合について説明するが、引戸と戸枠の衝突を緩和させるために引戸のスライド終期に引戸に制動力を付与する引戸緩衝装置など、他の装置について適用することも可能である。また、本実施形態の跳ね上げ抑制装置が適用されるスライドアシスト装置は、上端部がガイドレールに案内される、戸車付き下支え形式の引戸について適用したものであるが、戸車なしの非吊下式引戸や、吊下式引戸等、その他の引戸にも適用することができる。更に、本実施形態のスライドアシスト装置は、引戸に対し閉止方向についてスライドアシスト力を付与するものとなされているが、開放方向についてアシスト力を付与するものであってもよい。もちろん、開閉各方向についてスライドアシスト力を付与するスライドアシスト装置を引戸にともに設けるものであってもよい。
【００１９】
図１は本実施形態の引戸の跳ね上げ抑制装置が適用されたスライドアシスト装置を一部分解した状態で示す斜視図であり、図２は同装置のアシスト装置本体と引戸固定体とを示す正面図である。なお、以下、便宜上、各図における＋Ｘ方向を右方向、＋Ｙ方向を後方向、＋Ｚ方向を上方向として説明するが、これらの方向の表現については特に限定されるものではなく、単に本実施形態の装置内における相対的な位置関係を表したものである。
【００２０】
まず、本実施形態のスライドアシスト装置１が取り付けられる引戸Ｄの構造について簡単に説明する。引戸構造は、構造物の開口部を開閉する引戸Ｄと、この引戸Ｄが内側でスライド移動する戸枠（不図示）とを備える。引戸Ｄは、戸本体Ｄ１と、戸本体Ｄ１の下部に取り付けられた左右一対の戸車（不図示）とを備える。なお、この戸車には高さ調節機構（不図示）が設けられ、例えば経年によって戸枠（特に側部内面）との間に隙間が生じた場合でも戸本体Ｄ１を傾斜させて閉め残しを解消することができるものとなされている。
【００２１】
一方、戸枠（構造物に含まれる）は、鴨居下面に設けられ引戸Ｄのスライド方向をガイドするガイドレールＬと、敷居に設けられ引戸Ｄの戸車が案内される案内溝（不図示）とを含み、このガイドレールＬおよび案内溝に沿って引戸Ｄが開閉される。すなわち、引戸Ｄは、その頂部に配設された後述の第１および第２のガイドユニット１０，１１がガイドレールＬに挿通されることにより上部が案内されるとともに、その下部の戸車が上記案内溝に挿通されることにより下部が案内される。
【００２２】
そして、本実施形態のスライドアシスト装置１は、この引戸Ｄの頂部に配設された第１ガイドユニット１０と、ガイドレールＬの天面に固定される受け部材５とを備えて構成されている。
【００２３】
第１ガイドユニット１０は、引戸Ｄに固定された引戸固定体２と、この引戸固定体２に連結部２３を介して取り付けられ引戸Ｄのスライドアシスト機能を有するアシスト装置本体３（ガイド本体に相当）と、アシスト装置本体３の後述する第１エッジブロック３１２と枠本体３１１との間に介在する押圧ユニット６とを備え、第２ガイドユニット１１とともに引戸Ｄのスライド移動を案内するものとなされている。第２ガイドユニット１１は、引戸Ｄに固定された第２引戸固定体１２と、この第２引戸固定体１２に取り付けられたガイドローラユニット１３とを備え、高さ調節機構１４によってガイドローラユニット１３の引戸Ｄからの突出高さ位置を調整し得るものとなされている。なお、本実施形態のような下支え形式の引戸Ｄにおいては、この第２ガイドユニット１１を適宜省略することもできる。
【００２４】
このスライドアシスト装置１は、アシスト装置本体３（以下、単に「装置本体」という）と受け部材５とが協働して付勢力を蓄積または解放可能に構成され、引戸Ｄの閉止速度が速い場合など付勢力が解放される際に装置本体３に受け部材５が係合して装置本体３に制動力が作用するようになされているとともに、上記解放された付勢力をスライドアシスト力として引戸Ｄに対して付与されるようになっている。また、このスライドアシスト装置１は、受け部材５が係合してアシスト装置本体３に制動力が作用した場合に、押圧ユニット６の後述する押圧ブロック６２が引戸Ｄ側に進出して当該引戸Ｄの頂面を押圧して、引戸Ｄの跳ね上げを抑制するものとなされている。
【００２５】
具体的には、引戸固定体２は、引戸Ｄの頂部に埋設されるベースブロック２１と、このベースブロック２１から上方に突設された連結部２３とを備え、ベースブロックの正面に設けられた前後調節ネジ（不図示）を左右に回動させてこのネジの先端に設けられた調整用カム（不図示）を揺動させることによりベースブロック２１に対する連結部２３の前後位置を微調整し得るように構成されている。この引戸固定体２は、装置本体３を引戸Ｄに固定するためのものであり、連結部２３を介して装置本体３の第１エッジブロック３１２に固定されている。引戸固定体２の引戸Ｄに対する固定構造については、既に公知であるのでここでは詳しい説明を省略する。
【００２６】
装置本体３は、図１および図２に示すように、引戸固定体２に取り付けられた枠体３１と、この枠体３１内に一端（本実施形態では右端）がフリー状態で収容される引きバネ３２と、枠体３１内に一端（本実施形態では右端）がフリー状態でかつ引きバネ３２と並列に収容されたダンパー部材３３と、この引きバネ３２およびダンパー部材３３のフリー端部に取り付けられたスライド部材３４とを備え、上記付勢力としての引きバネ３２の弾性力を蓄積または解放可能に構成された一般的なものである。従って、この装置本体３は、その具体的構成を特に限定するものではないが、以下に簡単に説明する。
【００２７】
図４および図５は、装置本体３を示す斜視図である。これらの図は、スライド部材３４が引戸Ｄの閉止位置に対応する初期位置にあるか、引戸Ｄの開放操作に伴ってスライド部材３４が所定の保持位置にあるかで異なる。
【００２８】
本実施形態の装置本体３は、枠体３１の後述する枠本体３１１と、この枠本体３１１の長手方向一端部に嵌め込まれる第１エッジブロック３１２との間に、押圧ユニット６が介在している。すなわち、押圧ユニット６は、一端部がスライド部材３４が収納される枠本体３１１に接続されるとともに、他端部が引戸固定体２に連結される第１エッジブロック３１２に接続されることにより、装置本体３に取り付けられている。
【００２９】
まず、装置本体３の構成について具体的に説明してから、押圧ユニット６の構成について具体的に説明する。
【００３０】
装置本体３は、角筒状の枠体３１と、枠体３１内であって第２エッジブロック３１３に一端が固定された引きバネ３２と、枠体３１内でこの引きバネ３２と前後に並設されるとともに第２エッジブロック３１３に一端が固定されたダンパー部材３３と、この引きバネ３２およびダンパー部材３３の他端であるフリー端部に取り付けられ、枠体３１内をその長手方向に沿ってスライド可能なスライド部材３４とを備える。
【００３１】
枠体３１は、図４および図５において二点鎖線で示され、左右方向（引戸Ｄのスライド方向）に細長い角筒状の枠本体３１１と、この枠本体３１１の長手方向一端部（右端部）に押圧ユニット６を介して取り付けられる第１エッジブロック３１２と、枠本体３１１の長手方向他端部（左端部）に嵌め込まれる第２エッジブロック３１３とを備え、第１エッジブロック３１２において引戸固定体２の連結部２３に連結されている。
【００３２】
この第１エッジブロック３１２には、ガイドレールＬ内を転動する左右一対のガイドローラ３１６が設けられており、第２エッジブロック３１２に設けられたガイドローラ３１７とともに装置本体３をガイドレールＬ内で円滑にスライドし得るように構成されている。
【００３３】
一方、枠本体３１１に戻って、この枠本体３１１には、その上面壁に左右方向に延びるガイドスリット３１１ａと、このガイドスリット３１１ａに連設され、ガイドスリット３１１ａに対して拡幅された角形の回動孔３１１ｂとが設けられている。ガイドスリット３１１ａは、枠本体３１１の上面壁の左右方向の中央部を始点にして右方へ延設されている。このガイドスリット３１１ａの前後幅は、スライド部材３４の後述する回動掛合片３４２における舌片３４２ｃの前後幅よりも狭く設定され、スライド部材３４の回動掛合片３４２が回動できないように構成されている。
【００３４】
また、回動孔３１１ｂは、ガイドスリット３１１ａの右端部に連設されている。この回動孔３１１ｂは、ガイドスリット３１１ａよりも拡幅して構成され、回動掛合片３４２の舌片３４２ｃよりも幅広に構成されている。従って、この回動孔３１１ｂは、スライド部材３４がこの回動孔３１１ｂに至った場合にスライド部材３４の回動掛合片３４２がこの回動孔３１１ｂを通して回動可能に構成されている。
【００３５】
引きバネ３２は、第２エッジブロック３１３とスライド部材３４との間に介設され、スライド部材３４に付勢力を付与するためのものである。具体的には、引きバネ３２の一端部は第２エッジブロック３１３の左端部に係止されることにより枠体３１に固定され、フリー端部である他端部がスライド部材３４の右端部に係止され、これにより引きバネ３２が各部材３１３，３４間に張設されている。なお、この引きバネ３２に代えて、ゴム等からなる弾性部材（例えばゴムバンド）を用いても良い。
【００３６】
ダンパー部材３３は、直動式ダンパーであり、引きバネ３２の付勢力または引戸Ｄのスライド力に対して緩衝効果を付与するものである。このダンパー部材３３は、第２エッジブロック３１３とスライド部材３４の間に架設され、引きバネ３２の後方において該引きバネ３２と並列に配置されている。また、ダンパー部材３３は、エアダンパー、油圧ダンパー等のいずれのダンパーであってもよいが、本実施形態ではエアダンパーが採用されている。更に、ダンパー部材３３は、不図示の一方弁が内蔵された一方向性のダンパーであり、縮む場合、すなわち引戸Ｄが閉止方向に移動する場合に緩衝効果を付与するように構成されている。なお、ダンパー部材について、ロータリーダンパーを採用するものであってもよい。この場合の具体的構造についてはラック機構を用いるなど既に公知であるので、具体的説明は省略する。
【００３７】
スライド部材３４は、引きバネ３２およびダンパー部材３３のフリー端部が係止されるスライドブロック３４１と、スライドブロック３４１に軸支され回転軸３４２ａ周りに回動する回動掛合片３４２とを備え、引戸Ｄの閉止位置に対応する初期位置（図４参照）と枠体３１の回動孔３１１ｂに対応する所定の保持位置（図５参照）との間を引戸Ｄの開閉操作に伴って枠体３１に対して相対的にスライド移動するようになされている。
【００３８】
スライドブロック３４１は、右上方角部が切り欠かれた直方体状のブロック基体３４１ａと、このブロック基体３４１ａから上方に向かって突設された突出係合部３４１ｂとを備える。
【００３９】
ブロック基体３４１ａは、前後幅がガイドスリット３１１ａよりも大きく構成され、枠本体３１１内を摺動可能に構成されている。このブロック基体３４１ａの上記切欠き部に回動掛合片３４２が配置される。
【００４０】
また、突出係合部３４１ｂは、開放状態にある引戸Ｄの閉止操作時の移動速度が速い場合に受け部材５と係合し、ダンパー部材３３の緩衝効果によってその移動速度を減殺するものである。すなわち、この突出係合部３４１ｂと受け部材５とが係合する際に、装置本体３に対して制動力が作用する。この突出係合部３４１ｂは、その前後幅がガイドスリット３１１ａよりも小さく構成され、スライドブロック３４１が枠本体３１１に内装された状態でガイドスリット３１１ａを通じて枠本体３１１から上方に突出するようになされている。
【００４１】
回動掛合片３４２は、引戸Ｄの開放動作に伴いスライド部材３４の初期位置から保持位置に至るまでの間、受け部材５に係合し、スライド部材３４が保持位置に至ることにより回動孔３１１ｂを通じて枠体３１内に没入回動することにより受け部材５との係合状態が解除されるとともにスライド部材３４をその保持位置に停止保持するためのものである。また、回動掛合片３４２は、引戸Ｄの閉止動作に伴い受け部材５と再係合し、スライド部材３４の停止保持状態を解除するとともに受け部材５と協働して上記解除に伴い引きバネ３２の弾性力を引戸Ｄにスライドアシスト力として付与するように機能する。
【００４２】
この回動掛合片３４２は、正面視で右方に向かって先細りに形成された三角形状を呈する三角ブロック３４２ｂ（図６，７参照）と、この三角ブロック３４２ｂの上面右半分の部分に固定された正面視で右方へ向かって先細りの舌片３４２ｃとを備えている。三角ブロック３４２ｂは、ブロック基体３４１ａの上記切欠き部に配置され、回転軸３４２ａによってブロック基体３４１ａに軸支されている。
【００４３】
舌片３４２ｃは、受け部材５に対して係脱する部材である。この舌片３４２ｃは、その前後幅がガイドスリット３１１ａの前後幅よりも大きく、かつ、回動孔３１１ｂの前後幅よりも小さく寸法設定されているとともに、左右寸法が回動孔３１１ｂの左右寸法よりも短く設定されている。この舌片３４２ｃの先端部（右端部）は回動掛合片３４２の後述する係合姿勢でガイドスリット３１１ａ内に突出する突出部分３４２ｄを有し、この突出部分３４２ｄが回動孔３１１ｂの端縁に係合することにより回動掛合片３４２に回動力を付与するようになされている。そして、舌片３４２ｃは、ガイドスリット３１１ａの範囲内にあるとき、図４に示すように、ガイドスリット３１１ａから上方に突出した状態にあり、この状態で受け部材５に係合している。また、舌片３４２ｃは、回動掛合片３４２が回動孔３１１ｂに至ることにより、図５に示すように、回動孔３１１ｂを通じて回転軸３４２ａを中心に時計方向に回動可能に構成され、この回動に伴い受け部材５との係合状態が解除される。
【００４４】
受け部材５は、装置本体３、詳しくは装置本体３の突出係合部３４１ｂ又は舌片３４２ｃと係合して、装置本体３に制動力やスライドアシスト力を付与するものである。この受け部材５は、図１に示すように左右方向に細長い板状体を曲折された形状を呈し、下方に突出する受け突部５１が構成されている。この受け突部５１の左右幅は、スライド部材３４の突出係合部３４１ｂと舌片３４２ｃとの間隔よりも小さく形成されている。
【００４５】
次に、押圧ユニット６について説明する。図３は押圧ユニット６を分解して示す斜視図である。この図３および図２を主に用いてこの押圧ユニット６の具体的構成について説明する。
【００４６】
押圧ユニット６は、装置本体３の枠本体３１１と第１エッジブロック３１２との間に介在するブロック進出機構６１と、このブロック進出機構６１に上下動可能に保持されることにより装置本体３に間接的に設けられた押圧ブロック６２とを備え、受け部材５とスライド部材３４とが係合することにより装置本体３に制動力が作用した場合に、ブロック進出機構６１によって押圧ブロック６２が引戸Ｄ側に押し出されて該引戸Ｄの頂面を押圧するものとなされている。
【００４７】
具体的には、押圧ブロック６２は、直方体状のブロック本体６２１と、このブロック本体６２１の下端に一体的に取り付けられた押圧部６２２とを備える。なお、このブロック本体６２１と押圧部６２２とは分割構成して、これらを接合手段で接合するものであってもよい。
【００４８】
ブロック本体６２１は、その中央部に幅方向（前後方向）に貫通する傾斜ガイド孔６２ａを備える。傾斜ガイド孔６２ａは、後述するガイドボス部６５が挿通可能な幅に設定された長孔であり、引戸Ｄの閉止方向に向かって上方に傾斜している。言い換えれば、この傾斜ガイド孔６２ａの傾斜方向について、受け部材５によって装置本体３に制動力が作用した場合に、押圧ブロック６２とブロック進出機構６１とが相対的に上下離反する方向に向かうように設定されている。
【００４９】
この傾斜ガイド孔６２ａのスライド方向に対する傾斜角度は特に限定するものではないが、本実施形態では４５°に設定されている。なお、この傾斜ガイド孔６２ａのスライド方向に対する傾斜角度は、３０°〜６０°の範囲に設定されるのが好ましく、更に好ましくは４０°〜５０°の範囲内に設定されるのが良い。また、この傾斜ガイド孔６２ａの上下高さ（上下方向の寸法）は、少なくとも連結部２３の長さに応じて設定され、具体的には装置本体３と引戸Ｄの頂面との距離よりも大きく設定されている。
【００５０】
押圧部６２２は、押圧ブロック６２の進出時に引戸Ｄの頂面に当接して、該頂面を押圧するものである。この押圧部６２２の幅（前後方向寸法）は、ブロック本体６２１よりも大きく、また引戸Ｄの頂面幅よりも狭く設定されている。なお、押圧部６２２の具体的形状は特に限定するものではなく、ブロック本体６２１と同幅の形状を呈するものであってもよい。
【００５１】
一方、ブロック進出機構６１は、装置本体３の表面（例えば下面）に取り付けられるものであってもよいが、本実施形態では、装置本体３の内部に組み込まれ、具体的には枠本体３１１と第１エッジブロック３１２との間に介在している。このブロック進出機構６１は、受け部材５による装置本体３の制動に伴い、引戸Dのスライド移動力の一部を押圧ブロック６２の進出力として変換するように構成されている。具体的には、ブロック進出機構６１は、装置本体３の枠本体３１１に連結されたベース体６３と、一端（図面では左端）がこのベース体６３に対して引戸Ｄのスライド方向に移動可能に連結されるとともに他端（図面では右端）が第１エッジブロック３１２および引戸固定体２を介して引戸Ｄに連結された補助ガイド体６４とを備える。
【００５２】
ベース体６３は、押圧ブロック６２を上下動可能に保持するものである。このベース体６３は、押圧ブロック６２を保持するベース本体部６３１と、このベース本体部６３１の一端部（左端部）に枠本体３１１と連結するためのベース連結部６３３とを備え、これらが合成樹脂成形品として一体に設けられている。なお、ベース本体部６３１とベース連結部６３３とが別体として設けて、これらを接合するものであってもよい。
【００５３】
ベース本体部６３１は、頭部（上端部）が前後方向に突出するＴ字状のブロック体である。このベース本体部６３１は、押圧ブロック６２を遊嵌可能な保持孔６３２が上下に貫通して設けられるとともに、この保持孔６３２を挟んだ前後対向壁に、それぞれ後述するガイドボス部６５を引戸Ｄのスライド方向に移動可能に挿通するボス挿通孔６３ａが、前後方向に貫通して設けられている。
【００５４】
保持孔６３２は、ブロック本体６２１の垂直軸に直交する断面と略同じ大きさないしは若干大きく設定され、押圧ブロック６２のガタツキを極力抑えるものとなされている。ボス挿通孔６３ａは、引戸Ｄのスライド方向に細長い長孔として構成されている。また、このボス挿通孔６３ａは、押圧ブロック６２の初期位置から引戸Ｄの頂面の押圧位置に至るまでの進退行程で、少なくとも該押圧ブロック６２の傾斜ガイド孔６２ａの一部と重複するように構成されている。さらに、このボス挿通孔６３ａは、押圧ブロック６２の傾斜ガイド孔６２ａの水平成分の長さと同等ないしはそれよりも長く構成されている。
【００５５】
ベース連結部６３３は、枠本体３１１と連結されるものである。具体的には、ベース連結部６３３は、枠本体３１１に内嵌可能に構成された板状体であり、上下に貫通するねじ孔６３４を有する。従って、ベース体６３は、ベース連結部６３３が枠本体３１１の一端部（図２では右端部）に内嵌され、このベース連結部６３３がねじ孔６３４に挿通されるネジ（不図示）によって枠本体３１１に取り付けられることで装置本体３の内部に組み込まれる。
【００５６】
補助ガイド体６４は、ベース体６３のベース本体部６３１の胴部がスライド可能に差し込まれる対向壁部６４１と、対向壁部６４１の一端部（右端部）に設けられ第１エッジブロック３１２に取り付けられるガイド取付部６４２と、対向壁部６４１に設けられたボス取付孔６４ａに取り付けられるガイドボス部６５とを備え、対向壁部６４１とガイド取付部６４２とが合成樹脂成形品として一体に設けられている。なお、対向壁部６４１とガイド取付部６４２とを別体として設けて、これらを接合するものであってもよい。
【００５７】
対向壁部６４１は、互いの間隔がベース本体部６３１の胴部の厚み（幅）に応じて設定され、この胴部が差し込み可能に構成されている。この対向壁部６４１の上面には、ベース本体部６３１の頭部である突出部がスライド可能に載置される。また、この対向壁部６４１には、上記のようにガイドボス部６５が圧入されるボス取付孔６４ａが幅方向（前後方向）に貫設されている。このボス取付孔６４ａの位置は、ベース体６３と補助ガイド体６４とが引戸Ｄのスライド方向に相対的にスライド移動する場合に、この取付孔６４ａに取り付けられたガイドボス部６５がベース体６３のボス挿通孔６３ａの一端部から他端部に移動可能となるように設定されている。
【００５８】
ガイド取付部６４２は、第１エッジブロック３１２の取付のための役割と、ベース体６３のスライド移動を規制するストッパーとしての役割とを果たすものである。このガイド取付部６４２は、下部に下方に開口して第１エッジブロック３１２の一端部が差し込まれる差込溝部６４４と、この差込溝部６４４に差し込まれた第１エッジブロック３１２の一端部を固定するためのねじ（不図示）がねじ込まれるねじ孔６４３とを有する。本実施形態の差込溝部６４４は、左右方向について右端部のみが開放され、この右端部から差し込まれた第１エッジブロック３１２の一端部が他端部側に突き当てられるように構成されている。なお、ねじ孔６４３は、ガイド取付部６４２の天壁部を上下方向に貫通した状態で設けられている。
【００５９】
次に、この押圧ユニット６の組付について説明する。
【００６０】
まず、ベース体６３の保持孔６３２に押圧ブロック６２のブロック本体６２１を挿入する。続いて、このベース体６３の胴部を補助ガイド体６４の対向壁部６４１間に差し込む。このとき、補助ガイド体６４のボス取付孔６４ａと、ベース体６３のボス挿通孔６３ａと、押圧ブロック６２の傾斜ガイド孔６２ａのとが前後方向に連通した状態に位置合わせし、この状態で連通した各孔６４ａ、６３ａ、６２ａにガイドボス部６５を差し込む。ガイドボス部６５は、補助ガイド体６４のボス取付孔６４ａに圧入されるので、補助ガイド体６４に固定される。これにより、押圧ユニット６の組付が完了する。
【００６１】
そして、この押圧ユニット６のベース連結部６３３を枠本体３１１に取り付けるとともにガイド取付部６４２を第１エッジブロック３１２に取り付けることにより押圧ユニット６を装置本体３に取り付ける。
【００６２】
この押圧ユニット６において、ベース体６３と補助ガイド体６４とは、引戸Ｄのスライド方向に移動可能に構成され、この移動に伴い、ガイドボス部６５がボス挿通孔６３ａの一端部から他端部に移動する。そして、このガイドボス部６５の移動に伴って、このガイドボス部６５が押圧ブロック６２の傾斜ガイド孔６２ａ内を移動することにより、押圧ブロック６２がベース体６３に対して進退する。
【００６３】
以上のように構成されたスライドアシスト装置１の作用について、図６〜図９を用いて説明する。図６は引戸Ｄを閉止状態から開放する場合のスライドアシスト装置１の作用を説明するための正面視の一部断面図であり、図７は引戸Ｄを開放した状態から閉止する場合の同装置１の作用を説明するための正面視の一部断面図である。図８は押圧ユニット６の初期状態を示すための概念図であり、図９は、装置本体３に制動力が作用した場合における押圧ユニット６の引戸押圧状態を示すための概念図である。
【００６４】
引戸Ｄのスライドアシスト力の作用について説明しつつ、引戸Ｄの跳ね上げ抑制の作用についても合わせて説明する。
【００６５】
まず、閉止状態にある引戸Ｄを開放する場合の機能について説明する。
【００６６】
スライド部材３４は、引戸Ｄの閉止状態において、図４に示すように、初期位置にあり、ガイドスリット３１１ａの右端部に位置している。この引戸の閉止状態において、図６（Ａ）に示すように、スライド部材３４の回動掛合片３４２は、その舌片３４２ｃがガイドスリット３１１ａを通じて枠体３１から上方に突出した係合姿勢に設定されている。この係合姿勢では、舌片３４２ｃの左端面が受け部材５の受け突部５１の右側面に係合した状態になっている。
【００６７】
そして、この閉止状態から引戸Ｄを左方へ移動させて開放していくと、この開放に伴い装置本体３も左方へ移動するが、舌片３４２ｃが受け突部５１に係合しているため、スライド部材３４の移動が妨げられる。このため、スライド部材３４は、ガイドスリット３１１ａに沿って枠体３１に対して相対的に右方に移動する。このスライド部材３４の移動に伴い引きバネ３２が伸長し、これによりスライド部材３４に引きバネ３２の付勢力が蓄積される。
【００６８】
引戸Ｄを継続して開放していくと、引戸Ｄが所定の開閉途中位置に達し、このときスライド部材３４の舌片３４２ｃが回動孔３１１ｂに達する。この状態からさらに引戸Ｄが開放されると、舌片３４２ｃが受け突部５１によって右方へ向かって押圧され、舌片３４２ｃの先端突出部分３４２ｄが回動孔３１１ｂの右縁部に係合し、回動掛合片３４２が回転軸３４２ａを中心に時計方向に回動する。これによって、図６（Ｂ）に示すように、回動掛合片３４２は、回動孔３１１ｂを通じて回動し、受け突部５１との係合状態が解除された解除姿勢へ姿勢変更する。
【００６９】
このとき、解除姿勢に姿勢変更された舌片３４２ｃは、引きバネ３２の付勢力で左方へ引っ張られ、舌片３４２ｃの左端面が回動孔３１１ｂの左端縁に係止する（図７（Ａ）参照）。これによって、スライド部材３４は、回動孔３１１ｂに対応する保持位置に停止保持されるとともに、回動掛合片３４２の三角ブロック３４２ｂの前方左端部がガイドスリット３１１ａを通じて枠体３１の前方に突出した状態に配置される。
【００７０】
次に、開放状態にある引戸Ｄを閉止する場合の機能について説明する。
【００７１】
全開状態の引戸Ｄを右方へ移動させて閉めていくと、引戸Ｄは上記開閉途中位置に達する。このとき、図７（Ａ）に示すように、三角ブロック３４２ｂの前方左縁部が受け突部５１に干渉し、これによって回動掛合片３４２は、回転軸３４２ａを中心に反時計方向に回動して、その舌片３４２ｃが、回動孔３１１ｂから抜け出し、当該舌片３４２ｃの左角部が回動孔３１１ｂの左縁部へ係止されていた状態が解消される。すなわち、回動掛合片３４２は、受け突部５１に対する解除姿勢から係合姿勢へと姿勢変更する（図７（Ｂ）参照）。
【００７２】
そして、この姿勢変更に伴い引きバネ３２の付勢力が開放されてスライド部材３４に作用し、スライド部材３４は、ダンパー部材３３によって一定の抵抗が付与されつつ、ガイドスリット３１１ａに沿って枠体３１に対して相対的に上記保持位置から初期位置に向かって移動する。このとき、スライド部材３４は受け部材５の受け突部５１に係合しているため、引きバネ３２の付勢力はスライドアシスト力として引戸Ｄの閉止方向に作用する。
【００７３】
ところで、この引戸Ｄの閉止操作にあたって、引戸Ｄの閉止速度が速い場合には、受け部材５の受け突部５１は三角ブロック３４２ｂに干渉した後、スライドブロック３４１の突出係合部３４１ｂに衝突し、ダンパー部材３３による制動力が装置本体３に付与されて引戸Ｄが減速される。従来のスライドアシスト装置１では、この制動力が作用した場合に、引戸Ｄが片当たり状態となって、すなわち引戸Ｄの上部の一端部にのみ制動力が作用して下部に制動力が作用しないので、引戸Ｄが跳ね上がる場合があるが、本実施形態のスライドアシスト装置１では、引戸の跳ね上げ抑制装置が装備されているので、この引戸Ｄの跳ね上げを効果的に抑制することができる。
【００７４】
すなわち、引戸Ｄが閉止操作されると、引戸固定体２を含む引戸Ｄにはスライド力（具体的にはスライド操作力又は慣性力）が作用している。このとき、受け部材５の受け突部５１とスライド部材３４の突出係合部３４１ｂが干渉すると、ダンパー部材３３による制動力がスライド部材３４を通じて装置本体３に制動力として作用する。この制動力に伴って装置本体３の枠本体３１１側が制動される一方、第１エッジブロック３１２や引戸固定体２および引戸Ｄが慣性力または閉止操作力によって先走ることにより、ベース体６３が相対的に左方に引っ張られる。これにより、ベース体６３が補助ガイド体６４に対して相対的にスライド移動し、これに伴いガイドボス部６５がボス挿通孔６３ａおよび傾斜ガイド孔６２ａに沿って移動し、この移動に伴い押圧ブロック６２が下方に押し下げられる（図９参照）。言い換えると、上記制動力に伴って補助ガイド体６４がベース体６３に対して離反方向に移動してガイドボス部６５が傾斜ガイド孔６２ａに沿って相対的に移動することにより押圧ブロック６２を引戸Ｄ側に進出させる。この進出に伴い、押圧ブロック６２の押圧部６２２が引戸Ｄの頂面を押圧することにより、引戸Ｄ引戸Ｄの跳ね上げを簡単かつ確実に抑制することができる。すなわち、押圧ユニット６は、初期状態（図８参照）から押圧状態（図９参照）に移行する。
【００７５】
しかも、引戸Ｄの跳ね上げは引戸Ｄの閉止速度とも密接に関係しており、閉止速度が速ければ速いほど引戸Ｄの跳ね上げが懸念されるが、本実施形態のスライドアシスト装置１では制動力がダンパー部材３３によるものであることから、引戸Ｄの閉止速度が速い程、制動力も大きくなり、この制動力が大きければ、ベース体６３と補助ガイド体６４との離反方向への移動力も大きくなり、これに伴い押圧ブロック６２による引戸Ｄに対する押圧力も大きくなる。従って、本実施形態の跳ね上げ抑制装置が装備されたスライドアシスト装置１は、引戸Ｄの閉止速度に応じて、その跳ね上げ抑制力を調整することができ、より簡単、確実に引戸Ｄの跳ね上げを抑制することができる。
【００７６】
さらに、押圧ブロック６２は引戸Ｄの開閉時にスライド移動する装置本体３に組み込まれ、この押圧ブロック６２によって同じくスライド移動する引戸Ｄの頂面を押圧するので、押圧ブロック６２が静止している部材に摺接するようなことがなく、静止している部材を押圧する場合に比べて安定して押圧することができ、円滑に引戸Ｄの跳ね上げを抑制することができる。
【００７７】
スライドブロック３４１が十分に減速された後は、ダンパー部材３３による制動力よりも引きバネ３２による付勢力が上回る。従って、スライド部材３４は、ダンパー部材３３によって一定の抵抗が付与されつつ、ガイドスリット３１１ａに沿って枠体３１に対して相対的に上記保持位置側から初期位置に向かって移動する。
【００７８】
このとき、押圧ユニット６において、引きバネ３２による付勢力によってベース体６３が補助ガイド体６４側に押し込まれてベース体６３が補助ガイド体６４に対して相対的に近接方向にスライド移動し、これに伴いガイドボス部６５がボス挿通孔６３ａおよび傾斜ガイド孔６２ａに沿って移動する。この移動に伴い押圧ブロック６２が上方に押し上げられ、押圧ユニット６は押圧状態から初期状態に移行する（図８参照）。
【００７９】
なお、以上に説明したスライドアシスト装置１は、本本実施形態に係る引戸の跳ね上げ抑制装置が装備されたアシスト装置の一実施形態であり、その具体的構成等については適宜変更可能である。以下、本実施形態の変形例を説明する。
【００８０】
（１）上記実施形態では、スライド部材３４について、ブロック基体３４１ａと突出係合部３４１ｂが異なる部材によって構成された分割構成を採用しているが、このブロック基体３４１ａと突出係合部３４１ｂとを、図１０に示すように、一体構成してもよい。すなわち、図１０に示すスライド部材１３４は、スライドブロック１３５と、このスライドブロック１３５に回動軸１３７によって軸支された回動掛合片１３６とを備え、回動掛合片１３６の一端突出部１３６ａが上記実施形態における舌片３４２ｃの役割を果たし、他端突出部１３６ｂが上記実施形態における突出係合部３４１ｂおよび三角ブロック３４２ｂの一端部（図６，７における左端部）の役割を果たしている。このようにスライドブロックを一体構成することにより部品構成を少なくして一層簡単に構成することができる。
【００８１】
（２）上記実施形態では、押圧ユニット６を装置本体３側に設けたが、引戸Ｄ側に設けることもできる。この場合、押圧ユニット６の一端部（例えばベース体のベース連結部）が引戸Ｄに固定され、他端部（例えば補助ガイド体のガイド取付部）が連結部等の中間部材を介して装置本体に取り付けられ、補助ガイド体がベース体に対して相対的に移動可能に設置すれば、本実施形態と同様の作用を発揮し得る。この場合、押圧ブロックは装置本体３の下面を押圧することになる。
【００８２】
（３）上記実施形態では、引戸固定体２のベースブロック２１が引戸Ｄの頂部に埋設されたものとなされているが、このベースブロック２１の引戸Ｄに対する固定位置は本実施形態におけるものに限定されるものではなく、例えば引戸Ｄの正面（又は背面）等であってもよい。
【００８３】
（４）上記実施形態では、第１および第２のガイドユニット１０，１１について、ガイドローラが設けられたものについて説明しているが、このガイドローラに代えて、ガイドレールＬ内をスライドする滑り部材を設けてもよい。
【００８４】
（５）上記実施形態では、ベース体６３のボス挿通孔６３ａに補助ガイド体６４のガイドボス部６５が挿通されることにより、ベース体６３と補助ガイド体６４とがスライド可能に連結されているが、この構成に加えて別途いずれか一方にスライド方向に延びるキー突出部を設け、他方にこのキー突出部が嵌入される案内溝を設け、両者のスライド移動を案内するように構成してもよい。
【符号の説明】
【００８５】
Ｄ  引戸
Ｌ  ガイドレール
１  スライドアシスト装置
３  アシスト装置本体（ガイド本体）
５  受け部材
６  押圧ユニット（押圧手段）
３１  枠体
３１１  枠本体
３１２  第１エッジブロック
３１３  第２エッジブロック
３２  引きバネ
３３  ダンパー部材
３４  スライド部材
６１  ブロック進出機構
６２  押圧ブロック
６２ａ  傾斜ガイド孔
６３  ベース体
６４  補助ガイド体
６５  ガイドボス部
【図１】
0005650450.tif 000002
【図２】
0005650450.tif 000003
【図３】
0005650450.tif 000004
【図４】
0005650450.tif 000005
【図５】
0005650450.tif 000006
【図６】
0005650450.tif 000007
【図７】
0005650450.tif 000008
【図８】
0005650450.tif 000009
【図９】
0005650450.tif 000010
【図１０】
0005650450.tif 000011